(57)【要約】【課題】ＰＬＣ通信アダプタの設置機構を改良することによりスマートメータと分電盤とのＰＬＣ通信の通信条件をより良好なものにする。【解決手段】外部の通信機能付き電力量計と通信する通信装置を含む分電盤であって、通信装置は、商用系統側に接続される第１の端子部と、負荷側に接続される第２の端子部と、第１の端子部及び第２の端子部間を接続する導電経路と、モデム回路を含み、導電経路と絶縁される一方で、電力線搬送信号をモデム回路によりデジタル信号に変換し、更に外部からのデジタル信号を、モデム回路を介して電力線搬送信号に重畳する通信部とを備える。【選択図】図１
2015070687.tif 000002
【特許請求の範囲】
【請求項１】
外部の通信機能付き電力量計と通信する通信装置を含む分電盤であって、
前記通信装置は、
商用系統側に接続される第１の端子部と、
負荷側に接続される第２の端子部と、
前記第１の端子部及び前記第２の端子部間を接続する導電経路と、
モデム回路を含み、前記導電経路と絶縁される一方で、電力線搬送信号をモデム回路によりデジタル信号に変換し、更に外部からのデジタル信号を、モデム回路を介して電力線搬送信号に重畳する通信部と、
を備える
分電盤。
【請求項２】
前記第１の端子部は、外部の通信機能付き電力量計に接続され、
前記第２の端子部は、主幹ブレーカに導出する第１の電力線に接続され、
前記通信装置が前記分電盤内のアンペアブレーカ取り付け部に装着される
ことを特徴とする請求項１に記載の分電盤。
【請求項３】
前記通信装置が前記主幹ブレーカの筐体内に配置されている
ことを特徴とする請求項１に記載の分電盤。
【請求項４】
前記第１の端子部は、主幹ブレーカから導出された導電バーに接続され、
前記第２の端子部は、外部の負荷回路に導出する第２の電力線に接続され、
前記通信装置が前記分電盤内の分岐ブレーカ設置スペースに装着される
ことを特徴とする請求項１に記載の分電盤。
【請求項５】
外部の通信機能付き電力量計と通信する通信装置を含む分岐ブレーカであって、
前記通信装置は、
主幹ブレーカから導出された導電バーに接続される第１の端子部と、
外部の負荷回路に導出する第２の電力線に接続される第２の端子部と、
前記第１の端子部及び前記第２の端子部間を接続する導電経路と、
モデム回路を含み、前記導電経路と絶縁される一方で、電力線搬送信号をモデム回路によりデジタル信号に変換し、更に外部からのデジタル信号を、モデム回路を介して電力線搬送信号に重畳する通信部と
を備える
分岐ブレーカ。
【請求項６】
外部の通信機能付き電力量計と通信する通信装置であって、
商用系統側に接続される第１の端子部と、
負荷側に接続される第２の端子部と、
前記第１の端子部及び前記第２の端子部間を接続する導電経路と、
モデム回路を含み、前記導電経路と絶縁される一方で、電力線搬送信号をモデム回路によりデジタル信号に変換し、更に外部からのデジタル信号を、モデム回路を介して電力線搬送信号に重畳する通信部と、
を備える通信装置。
【請求項７】
前記第１の端子部は、外部の通信機能付き電力量計に接続され、
前記第２の端子部は、主幹ブレーカに導出する第１の電力線に接続され、
所定の分電盤内のアンペアブレーカ取り付け部に装着される
ことを特徴とする請求項６に記載の通信装置。
【請求項８】
所定の分電盤の主幹ブレーカの筐体内に配置されている
ことを特徴とする請求項６に記載の通信装置。
【請求項９】
前記第１の端子部は、所定の分電盤の主幹ブレーカから導出された導電バーに接続され、
前記第２の端子部は、外部の負荷回路に導出される第２の電力線に接続され、
所定の分電盤内の分岐ブレーカ設置スペースに装着される
ことを特徴とする請求項６に記載の通信装置。
【発明の詳細な説明】
【技術分野】
【０００１】
本発明は、分電盤、分岐ブレーカ及び通信装置に関する。
【背景技術】
【０００２】
ホームエリアネットワーク（Ｈｏｍｅ  Ａｒｅａ  Ｎｅｔｗｏｒｋ；ＨＡＮ）は、空気調和機（エアコン）、蓄電池、太陽光発電装置などの宅内機器と、これらを制御するコントローラにより構成される。
【０００３】
スマートメータとＨＡＮ側機器との間の通信は「Ｂルート通信」と称される。Ｂルート通信は通常、ＰＬＣ（パワーラインコミュニケーション；電力線搬送通信）若しくは特定小電力無線特別小型周波数帯信号を介して行われる。
【０００４】
なお、特許文献１には、電力線搬送により電力量の遠隔検針を行うシステムであって、絶縁相当の商用電源周波数分の遮断を行い、電力変換部相当の電源部で通信用の駆動電力を生成するシステムが開示されている。
【先行技術文献】
【特許文献】
【０００５】
【特許文献１】特開２００９−０１７５４３号公報
【発明の概要】
【発明が解決しようとする課題】
【０００６】
Ｂルート通信を構築する際にＰＬＣ通信を用いる場合には、以下のような問題点が考えられる。まず、一般的な壁コンセントにＰＬＣ通信アダプタの電源プラグを差し込むと、ＰＬＣ通信アダプタとスマートメータとの距離が長くなり、よって信号減衰が大きくなることで通信条件が不利になる。また、一般的な壁コンセントには、ＰＬＣ通信に対するノイズ源となる家電機器の電源プラグが直接差し込まれることが多く、このことによっても通信条件は不利になり得る。更に、通信条件を良くするためにはＡＣ１００Ｖ線の接続入れ替え等が必要となり、この施工は必ずしも容易なことではない。
【０００７】
上記課題に鑑みて、本発明に係る分電盤の目的とするところは、ＰＬＣ通信アダプタの設置機構を改良することによりスマートメータと分電盤とのＰＬＣ通信の通信条件をより良好なものにすることにある。
【課題を解決するための手段】
【０００８】
本発明に係る分電盤は、外部の通信機能付き電力量計と通信する通信装置を含む分電盤であって、
前記通信装置は、
商用系統側に接続される第１の端子部と、
負荷側に接続される第２の端子部と、
前記第１の端子部及び前記第２の端子部間を接続する導電経路と、
モデム回路を含み、前記導電経路と絶縁される一方で、電力線搬送信号をモデム回路によりデジタル信号に変換し、更に外部からのデジタル信号を、モデム回路を介して電力線搬送信号に重畳する通信部と
を備える
分電盤。
【０００９】
本発明に係る分電盤において、
前記第１の端子部は、外部の通信機能付き電力量計に接続され、
前記第２の端子部は、主幹ブレーカに導出する第１の電力線に接続され、
前記通信装置が前記分電盤内のアンペアブレーカ取り付け部に装着されてもよい。
【００１０】
本発明に係る分電盤は、前記通信装置が前記主幹ブレーカの筐体内に配置されていてもよい。
【００１１】
本発明に係る分電盤において、
前記第１の端子部は、主幹ブレーカから導出された導電バーに接続され、
前記第２の端子部は、外部の負荷回路に導出する第２の電力線に接続され、
前記通信装置が前記分電盤内の分岐ブレーカ設置スペースに装着されてもよい。
【００１２】
本発明に係る分岐ブレーカは、外部の通信機能付き電力量計と通信する通信装置を含む分岐ブレーカであって、
前記通信装置は、
主幹ブレーカから導出された導電バーに接続される第１の端子部と、
外部の負荷回路に導出する第２の電力線に接続される第２の端子部と、
前記第１の端子部及び前記第２の端子部間を接続する導電経路と、
モデム回路を含み、前記導電経路と絶縁される一方で、電力線搬送信号をモデム回路によりデジタル信号に変換し、更に外部からのデジタル信号を、モデム回路を介して電力線搬送信号に重畳する通信部と
を備える。
【００１３】
本発明に係る通信装置は、外部の通信機能付き電力量計と通信する通信装置であって、
商用系統側に接続される第１の端子部と、
負荷側に接続される第２の端子部と、
前記第１の端子部及び前記第２の端子部間を接続する導電経路と、
モデム回路を含み、前記導電経路と絶縁される一方で、電力線搬送信号をモデム回路によりデジタル信号に変換し、更に外部からのデジタル信号を、モデム回路を介して電力線搬送信号に重畳する通信部と、
を備える。
【００１４】
本発明に係る通信装置において、
前記第１の端子部は、外部の通信機能付き電力量計に接続され、
前記第２の端子部は、主幹ブレーカに導出する第１の電力線に接続され、
所定の分電盤内のアンペアブレーカ取り付け部に装着されてもよい。
【００１５】
本発明に係る通信装置は、所定の分電盤の主幹ブレーカの筐体内に配置されていてもよい。
【００１６】
本発明に係る通信装置において、
前記第１の端子部は、所定の分電盤の主幹ブレーカから導出された導電バーに接続され、
前記第２の端子部は、外部の負荷回路に導出される第２の電力線に接続され、
所定の分電盤内の分岐ブレーカ設置スペースに装着されてもよい。
【発明の効果】
【００１７】
本発明に係る分電盤を用いることにより、分電盤周辺のＰＬＣ通信アダプタの設置機構を改良することができ、このことによりスマートメータと分電盤とのＰＬＣ通信の通信条件をより良好なものにすることができる。
【図面の簡単な説明】
【００１８】
【図１】本発明の実施の形態１に係る分電盤の全体ブロック図である。
【図２】図２（ａ）は、従来の分電盤の一例のブロック図である。図２（ｂ）は、実施の形態１に係る分電盤の一例のブロック図である。
【図３】分電盤の内部構造を示す斜視図である。
【図４】図４（ａ）は、本発明の実施の形態２に係る分電盤の全体ブロック図である。図４（ｂ）は、本発明の実施の形態２に係るＰＬＣ通信アダプタの別の具体例のブロック図である。
【図５】図５（ａ）は、実施の形態２に係るＰＬＣ通信アダプタの斜視図である。図５（ｂ）は、実施の形態２に係るＰＬＣ通信アダプタの斜視図である。
【発明を実施するための形態】
【００１９】
〔実施の形態１〕
以下、図１〜図３を用いて、実施の形態１に係る分電盤を説明する。
【００２０】
＜１−１．分電盤及びＰＬＣ通信アダプタの構成＞
図１は、本発明の実施の形態１に係る分電盤１０の全体ブロック図である。図１に示す分電盤１０は、通信機能付き電力量計、即ちスマートメータ１００と接続する。スマートメータ１００と分電盤１０はＢルート通信を構成する。本実施の形態では、スマートメータ１００と分電盤１０はＰＬＣ（パワーラインコミュニケーション；電力線搬送通信）によりＢルート通信を行う。
【００２１】
図１に示す分電盤１０は、主幹ブレーカ１２、主幹ブレーカ１２に付属する複数の分岐ブレーカ１４、及び主幹ブレーカ１２と分岐ブレーカ１４とを接続する導電バー１６とにより構成される。
【００２２】
更に、分電盤１０にはＰＬＣ通信アダプタ２０が配置される。ＰＬＣ通信アダプタ２０は、スマートメータ１００と通信するための通信装置である。本実施の形態のＰＬＣ通信アダプタ２０は、商用系統側、即ちスマートメータ１００に接続される第１の端子部１１と、負荷側、即ち主幹ブレーカ１２に導出する電力線に接続される第２の端子部１３を有する。第１の端子部１１と第２の端子部１３とは導電経路２１により接続される。また、ＰＬＣ通信アダプタ２０は、インダクタ２２とＡＣ／ＤＣコンバータ３０から成る電力変換部を備える。電力変換部は、導電経路２１上の商用電力を電力線搬送（ＰＬＣ）に必要な電力に変換する。更に、ＰＬＣ通信アダプタ２０は、変圧回路を含む絶縁部２８とモデム回路２４とＣＰＵ回路２６とから成る通信部を備える。通信部は、導電経路２１と絶縁される一方で、電力線搬送信号をモデム回路２４によりデジタル信号に変換し、更に外部からのデジタル信号を、モデム回路２４を介して電力線搬送信号に重畳する。
【００２３】
モデム回路２４が出力するデジタル信号は、ＣＰＵ回路２６を介して、（図示しない）外部装置、例えば、ＨＥＭＳ（ホームエネルギマネジメントシステム）コントローラに出力される。外部装置、例えば、ＨＥＭＳコントローラからのデジタル信号は、ＣＰＵ回路２６を介してモデム回路２４に入力され電力線搬送信号に重畳される。
【００２４】
図１に示すように、本実施の形態におけるＰＬＣ通信アダプタ２０は、分電盤１０の内部において、主幹ブレーカ１２とスマートメータ１００とに接続して主幹ブレーカ１２とスマートメータ１００との間に配置される。
【００２５】
＜１−２．分電盤及びＰＬＣ通信アダプタの動作＞
スマートメータ１００と主幹ブレーカ１２との間に配置されるＰＬＣ通信アダプタ２０は、電力変換部により導電経路２１上の商用電力を電力線搬送（ＰＬＣ）に必要な電力に変換する。更に、ＰＬＣ通信アダプタ２０は、通信部により、電力線搬送信号をモデム回路２４によりデジタル信号に変換し、更に外部からのデジタル信号を、モデム回路２４を介して電力線搬送信号に重畳する。このようにして、ＰＬＣ通信アダプタ２０はスマートメータ１００と分電盤１０との間のＰＬＣ通信を実現する。
【００２６】
この際、ＰＬＣ通信アダプタ２０は、壁コンセントに接続されることはなく、ＰＬＣ通信アダプタとスマートメータとの距離が長くなることによる信号減衰が発生しない。更に、壁コンセントに電源プラグを介して差し込まれる他の家電機器が発生するノイズ源が、直近に配置されることがないため、ＰＬＣ通信の邪魔になるようなことがない。
【００２７】
＜１−３．まとめ＞
以上のように、実施の形態１に係る分電盤は、外部の通信機能付き電力量計と通信する通信装置を含む分電盤である。通信装置は、商用系統側に接続される第１の端子部と、負荷側に接続される第２の端子部と、第１の端子部及び第２の端子部間を接続する導電経路と、モデム回路を含み、導電経路と絶縁される一方で、電力線搬送信号をモデム回路によりデジタル信号に変換し、更に外部からのデジタル信号を、モデム回路を介して電力線搬送信号に重畳する通信部とを備える。
【００２８】
このように、実施の形態１に係る分電盤におけるＰＬＣ通信アダプタは、分電盤内の既存の電気系統に挿入されてＢルートのためのＰＬＣ通信を実現する。よって本実施の形態では、ＰＬＣ通信アダプタのために新たな電気系統を設置する必要や、既存の電位系統を変更する必要が無い。更に、ＰＬＣ通信のための良好な通信条件を設定することができる。
【００２９】
＜１−４．実施の形態１の具体例＞
＜１−４−１．具体例１＞
図２を用いて、実施の形態１に係る分電盤１０の具体例を説明する。
【００３０】
まず、図２（ａ）は、従来の分電盤１０’の一例のブロック図である。図２（ａ）に示す分電盤１０’はアンペアブレーカ１７を含み、該アンペアブレーカ１７はスマートメータ１００と主幹ブレーカ１２との間に配置されている。ここでのアンペアブレーカは、電力会社と電力ユーザとの間の契約により取り決められた「契約アンペア値」を超える電流が流れた時に電気の供給を自動で止める装置である。
【００３１】
一方、図２（ｂ）は、実施の形態１に係る分電盤１０の一例のブロック図である。図２（ｂ）に示すＰＬＣ通信アダプタ２０は、図１に示すＰＬＣ通信アダプタ２０と同じく、分電盤１０の内部において、主幹ブレーカ１２とスマートメータ１００とに接続して主幹ブレーカ１２とスマートメータ１００との間に配置される。更に、図２（ｂ）に示す分電盤１０では、図２（ａ）に示す分電盤１０’においてアンペアブレーカ１７が取り付けられていた部位（以下、「アンペアブレーカ取り付け部」と言う。）１９に、ＰＬＣ通信アダプタ２０が配置される。
【００３２】
図３は、本実施の形態に係る分電盤１０の内部構造を示す斜視図である。図２（ｂ）に示す分電盤１０と同じく、分電盤１０内部には主幹ブレーカ１２及び分岐ブレーカ１４が配置されている。主幹ブレーカ１２の（紙面に向かって）左にはアンペアブレーカ取り付け部１９が存在する。よって、図３に示す分電盤１０ではこのアンペアブレーカ取り付け部１９にＰＬＣ通信アダプタ２０が配置される。
【００３３】
なお、スマートメータは通常、前述のアンペアブレーカの機能を内蔵しているため、スマートメータと併用される分電盤においてはアンペアブレーカが設けられなくても問題とはならない。図２（ｂ）に示す分電盤１０においては、ＰＬＣ通信アダプタ２０を既存のアンペアブレーカに置き換えて設置することにより、ＢルートにおけるＰＬＣ通信を容易に実現できる。
【００３４】
また、図２（ｂ）に示す実施の形態１に係る分電盤１０及びＰＬＣ通信アダプタ２０の具体例において、ＰＬＣ通信アダプタ２０の筐体が、図２（ｂ）に示すアンペアブレーカの筐体と同形状であるのが好ましい。なぜならば、ＰＬＣ通信アダプタ２０の筐体とアンペアブレーカの筐体とが同形状であるならば、分電盤１０内にＰＬＣ通信アダプタ２０を設置する際の施工ミスが防止されるからである。
【００３５】
＜１−４−２．具体例２＞
図１、及び図２（ｂ）に示す分電盤１０では、スマートメータ１００と主幹ブレーカ１２との間に配置されるＰＬＣ通信アダプタ２０の筐体は、主幹ブレーカ１２の筐体とは別のものである。これに対して、本実施の形態のＰＬＣ通信アダプタは、主幹ブレーカ１２の筐体内に含まれてもよい。即ち、ＰＬＣ通信アダプタを構成する回路が、主幹ブレーカ１２の筐体の内部に含まれて配置されてもよい。
【００３６】
この場合、言い換えるとＰＬＣ通信アダプタは、主幹ブレーカと同じ形状であるブレーカ機能付きのＰＬＣ通信アダプタであることになる。この具体例におけるＰＬＣ通信アダプタは、既存の主幹ブレーカの機能を損なうこと無く主幹ブレーカと置き換え可能なものであり、言うまでも無くＢルートにおけるＰＬＣ通信を実現する。よって、分電盤全体の容量をコンパクトにすることができる。
【００３７】
〔実施の形態２〕
図４及び図５を用いて、実施の形態２に係る分電盤を説明する。
【００３８】
＜２−１．分電盤及びＰＬＣ通信アダプタの構成＞
実施の形態２に係る分電盤１０は、図１に示す実施の形態１に係る分電盤１０と略同様の構成を有する。以下で説明するように、実施の形態２に係る分電盤１０は、実施の形態１のものとは、ＰＬＣ通信アダプタが分岐ブレーカ設置スペースに設置される点で異なる。
【００３９】
分電盤１０において、分岐ブレーカ１４が配置されない分岐ブレーカ設置スペースには通常、スペーサ１５が嵌め込まれる。図３に示す分電盤１０では、複数の分岐ブレーカ１４の（紙面に向かって）右に複数のスペーサ１５が嵌め込まれている。本実施の形態のＰＬＣ通信アダプタ１５ａは、これらスペーサ１５の各々と同一形状を有しており、分岐ブレーカ１４若しくはスペーサ１５に換えて分電盤１０上に配置される。
【００４０】
図４（ａ）は、本発明の実施の形態２に係る分電盤１０の全体ブロック図である。本実施の形態のＰＬＣ通信アダプタ１５ａは、分岐ブレーカ１４若しくはスペーサ１５に換えて、分岐ブレーカ設置スペースに設置される。図５（ａ）は、本実施の形態に係るＰＬＣ通信アダプタ１５ａの斜視図である。
【００４１】
図４（ａ）に示すように、本実施の形態に係るＰＬＣ通信アダプタ１５ａは、図１及び図２（ｂ）に示す実施の形態１に係るＰＬＣ通信アダプタ２０と同様の回路構成を有する。なお、本実施の形態のＰＬＣ通信アダプタ１５ａは、主幹ブレーカ１２から導出された導電バー１６に接続される第１の端子部１１と、外部の負荷回路に導出される電力線に接続される第２の端子部１３を有する。第１の端子部１１と第２の端子部１３とは導電経路２１により接続される。
【００４２】
＜２−２．分電盤及びＰＬＣ通信アダプタの動作＞
主幹ブレーカ１２から導出される導電バー１６と外部の負荷回路との間に配置されるＰＬＣ通信アダプタ１５ａは、電力変換部により導電経路２１上の商用電力を電力線搬送（ＰＬＣ）に必要な電力に変換する。更に、ＰＬＣ通信アダプタ１５ａは、通信部により、電力線搬送信号をモデム回路２４によりデジタル信号に変換し、更に外部からのデジタル信号を、モデム回路２４を介して電力線搬送信号に重畳する。このようにして、ＰＬＣ通信アダプタ１５ａはスマートメータ１００と分電盤１０との間のＰＬＣ通信を実現する。
【００４３】
この際、ＰＬＣ通信アダプタ１５ａには、ＰＬＣ通信アダプタとスマートメータとの距離が長くなることによる信号減衰が発生しない。更に、壁コンセントに電源プラグを介して差し込まれる他の家電機器が発生するノイズ源が、直近に配置されることがないため、ＰＬＣ通信の邪魔になるようなことがない。
【００４４】
＜２−３．まとめ＞
以上のように、実施の形態２に係る分電盤は、外部の通信機能付き電力量計と通信する通信装置を含む分電盤である。通信装置は、商用系統側に接続される第１の端子部と、負荷側に接続される第２の端子部と、第１の端子部及び第２の端子部間を接続する導電経路とを備える。また、通信装置は、モデム回路を含み導電経路と絶縁される一方で電力線搬送信号をモデム回路によりデジタル信号に変換し更に外部からのデジタル信号を、モデム回路を介して電力線搬送信号に重畳する通信部とを備える。更に、通信装置において、第１の端子部は主幹ブレーカから導出された導電バーに接続され、第２の端子部は外部の負荷回路に導出する第２の電力線に接続され、通信装置が分電盤内の分岐ブレーカ設置スペースに装着される。
【００４５】
このように、実施の形態２に係る分電盤におけるＰＬＣ通信アダプタは、分電盤内の分岐ブレーカ設置スペースにおける既存の電気系統に挿入されてＢルートのためのＰＬＣ通信を実現する。よって本実施の形態では、ＰＬＣ通信アダプタのために新たな電気系統を設置する必要や、既存の電位系統を変更する必要が無い。また、本実施の形態のＰＬＣ通信アダプタは分岐ブレーカと同じ形状であるので、ＰＬＣ通信設定のための施工が簡単なものとなる。更に、ＰＬＣ通信のための良好な通信条件を設定することができる。
【００４６】
＜２−４．実施の形態２の別例＞
図４（ｂ）及び図５（ｂ）を用いて、実施の形態２に係る分電盤１０及び分岐ブレーカ１４ａの別の具体例を説明する。図４（ａ）に示す分電盤１０では、主幹ブレーカ１２から導出される導電バー１６と外部の負荷回路との間に配置されるＰＬＣ通信アダプタ１５ａの筐体は、分岐ブレーカ１４の筐体とは別のものである。これに対して、図４（ｂ）に示す本例におけるＰＬＣ通信アダプタは、分岐ブレーカの筐体内に含まれる。即ち、図４（ｂ）に示すＰＬＣ通信アダプタを構成する回路が、リレー回路４０と共に、分岐ブレーカ１４ａの筐体の内部に含まれて配置される。図５（ｂ）は、本実施の形態に係る分岐ブレーカ１４ａの斜視図である。
【００４７】
本例の場合、言い換えるとＰＬＣ通信アダプタは、分岐ブレーカと同じ形状であるブレーカ機能付きのＰＬＣ通信アダプタであることになる。図４（ｂ）に示す例におけるＰＬＣ通信アダプタは、既存の分岐ブレーカの機能を損なうこと無く分岐ブレーカと置き換え可能なものであり、言うまでも無くＢルートにおけるＰＬＣ通信を実現する。よって、分電盤全体の容量をコンパクトにすることができる。
【符号の説明】
【００４８】
１０、１０’・・・分電盤、１２・・・主幹ブレーカ、１４、１４ａ・・・分岐ブレーカ、１５・・・スペーサ、１５ａ、２０・・・ＰＬＣ通信アダプタ、１６・・・導電バー、１９・・・アンペアブレーカ取り付け部、２２・・・インダクタ、２４・・・モデム回路、２６・・・ＣＰＵ、２８・・・変圧回路、３０・・・ＡＣ／ＤＣコンバータ、４０・・・リレー回路、１００・・・通信機能付き電力量計（スマートメータ）。
【図１】
2015070687.tif 000003
【図２】
2015070687.tif 000004
【図３】
2015070687.tif 000005
【図４】
2015070687.tif 000006
【図５】
2015070687.tif 000007